(57)【要約】【課題】  合成樹脂の一体成形品でありながら十分な剛性を備えたフェンスを実現する。【解決手段】  フェンス部２は格子部３、内枠４で構成され、フェンス部２を囲む外枠６は４つの外枠部材５で構成される。外枠部材５の係止溝５ａに内枠４が嵌合されると共に、ネジ７により内枠４にネジ止めされることにより、フェンス部２と外枠６とを互いに引っ張り合う状態で強固に連結することができる。これによりフェンス部２の厚さが薄く成形されても撓みを確実に防止してフェンス１としての十分な剛性を得ることができる。【選択図】        図１
0003118947.tif 000002
【実用新案登録請求の範囲】
【請求項１】
一体成形してなるフェンス部と、前記フェンス部の外縁部に取り付けられる外枠とを有し、前記外枠には、引っ張り力を作用させて前記フェンス部を連結する連結手段を設けたことを特徴とするフェンス。
【請求項２】
前記外枠は、前記フェンス部の外縁部を囲繞して取り付けられる構成としたことを特徴とする請求項１に記載のフェンス。
【請求項３】
前記連結手段は、前記フェンス部を挟んで略対向配置され、前記フェンス部を前記連結手段同士で互いに引っ張り合う構成としたことを特徴とする請求項１又は請求項２に記載のフェンス。
【請求項４】
前記フェンス部の厚さは、前記連結手段との接触部位の幅以上で構成したことを特徴とする請求項１乃至請求項３のうち、いずれか１に記載のフェンス。
【請求項５】
前記外枠は、前記フェンス部を係止する係止溝が設けられていることを特徴とする請求項１乃至請求項４のうち、いずれか１に記載のフェンス。
【請求項６】
前記係止溝の底部と前記底部と対向する前記フェンス部の面との間に、前記フェンス部が前記引っ張り力の作用方向に移動可能な空間を設ける構成としたことを特徴とする請求項５に記載のフェンス。
【請求項７】
前記フェンス部の前記連結手段との連結部の厚さは、前記フェンス部の他の部位よりも厚く構成したことを特徴とする請求項１乃至請求項６のうち、いずれか１に記載のフェンス。
【請求項８】
前記フェンス部は、フェンス本体と、該フェンス本体を囲繞して前記フェンス本体と一体成形された内枠とを備える構成としたことを特徴とする請求項１乃至請求項７のうち、いずれか１に記載のフェンス。
【請求項９】
前記外枠は、前記フェンス部の上下左右を囲む４つの外枠部材からなることを特徴とする請求項１乃至請求項８のうち、いずれか１に記載のフェンス。
【請求項１０】
前記フェンス部は、発泡合成樹脂からなる一体成形品であることを特徴とする請求項１乃至請求項９のうち、いずれか１に記載のフェンス。
【請求項１１】
前記外枠は木粉入り合成樹脂からなる一体成形品であることを特徴とする請求項１乃至請求項１０のうち、いずれか１に記載のフェンス。
【請求項１２】
前記連結手段は、ネジ止めによることを特徴とする請求項１乃至請求項１１のうち、いずれか1に記載のフェンス。
【考案の詳細な説明】
【技術分野】
【０００１】
本考案は、フェンスに関するものである。
【背景技術】
【０００２】
図５は、従来の木製のフェンス（あるいはラティス）を示す外観斜視図である。従来より、図５に示すようなフェンスが庭やベランダ等に設置されて使用されているが、その一般的な構成を説明すると、互いに直交して４５度に傾斜された複数の格子部材１０１がそのクロス部においてホチキス等１０２により固定されて格子部１０３を構成し、この格子部１０３を４つの枠部材１０４が囲んで枠１０５を構成している。各枠部材１０４の端面は図示のように４５度の斜面に形成され、互いの斜面を突き合わせた枠１０５の四隅部分をネジ１０６によりネジ止めしている。図６は枠部材１０４と格子部１０３の連結構造を示すもので、枠部材１０４には溝１０７が設けられ、この溝１０７に各格子部材１０１の端部が嵌め込まれることで枠１０５と格子部１０３とが一体化されてフェンスが構成されている。このように、従来の木製フェンスは前記のような構造として所定の剛性を備えるようになっている。
【０００３】
また、前記のようなフェンスを合成樹脂製としたものとして特許文献１や特許文献２に示すようなものが提案されている。
【０００４】
【特許文献１】特開平９−６０３５３号公報
【特許文献２】特開２０００−１７８９９号公報
【考案の開示】
【考案が解決しようとする課題】
【０００５】
前記の木製フェンスは、所定の剛性を得られるものの、多くの格子部材を要する等部品点数が多く組み立てに手間がかかり、コスト高になるという問題があった。この点、合成樹脂製として一体成形が可能なフェンスが提案されているが、合成樹脂を単に一体成形したものは剛性が弱く、撓みやすく破損しやすい。特に、ガーデニング等に使用されるラティスにあっては、薄く且つシンプルに構成されるものが使い勝手が良いことから、前記のような問題が顕著であった。特許文献１に示す合成樹脂製フェンスは、断面を略Ｈ状等として破損しにくい構造としているが、構成が複雑となる問題がある。また、特許文献２に示す合成樹脂製フェンスは、全体を湾曲させるために場所を余計にとる等の問題がある。
【０００６】
本考案は上記の問題を解決し、合成樹脂による一体成形品であっても、簡単な構成で所定の剛性を得ることができるフェンスを提供することを課題とする。
【課題を解決するための手段】
【０００７】
本考案によるフェンスは、一体成形してなるフェンス部と、前記フェンス部の外縁部に取り付けられる外枠とを有し、前記外枠には、引っ張り力を作用させて前記フェンス部を連結する連結手段を設けたことを特徴とする。また、本考案によるフェンスの前記外枠は、前記フェンス部の外縁部を囲繞して取り付けられる構成としたことを特徴とする。また、本考案によるフェンスの前記連結手段は、前記フェンス部を挟んで略対向配置され、前記フェンス部を前記連結手段同士で互いに引っ張り合う構成としたことを特徴とする。また、本考案によるフェンスの前記フェンス部の厚さは、前記連結手段との接触部位の幅以上で構成したことを特徴とする。また、本考案によるフェンスの前記外枠は、前記フェンス部を係止する係止溝が設けられていることを特徴とする。また、本考案によるフェンスは、前記係止溝の底部と前記底部と対向する前記フェンス部の面との間に、前記フェンス部が前記引っ張り力の作用方向に移動可能な空間を設ける構成としたことを特徴とする。また、本考案によるフェンスは、前記フェンス部の前記連結手段との連結部の厚さは、前記フェンス部の他の部位よりも厚く構成したことを特徴とする。また、本考案によるフェンスの前記フェンス部は、フェンス本体と、該フェンス本体を囲繞して前記フェンス本体と一体成形された内枠とを備える構成としたことを特徴とする。また、本考案によるフェンスの前記外枠は、前記フェンス部の上下左右を囲む４つの外枠部材からなることを特徴とする。また、本考案によるフェンスの前記フェンス部は、発泡合成樹脂からなる一体成形品であることを特徴とする。また、本考案によるフェンスの前記外枠は木粉入り合成樹脂からなる一体成形品であることを特徴とする。また、本考案によるフェンスの前記連結手段は、ネジ止めによることを特徴とする。
【考案の効果】
【０００８】
本考案によれば、連結手段により外枠とフェンス部とを互いに引っ張り合う状態で連結するように構成したことにより、フェンス部の撓みを確実に防止しながら両者を強固に連結することができ、フェンスとして必要な十分な剛性を得ることができる。また、外枠は、フェンス部の外縁部を囲繞して取り付けられる構成とし、特に連結手段はフェンス部を挟んで略対向配置する構成としたため、フェンス部に対して均等に引っ張り力を作用させることができ、フェンス部の撓みをより確実に防止できる。また、フェンス部を所定の薄さで構成した場合であっても、外枠から前記の引っ張り力を作用させることによって、必要な十分な剛性を得ることができる。また、外枠には係合溝を設けたので、外枠とフェンス部との位置決め固定が容易となる。また、係止溝の底部と前記底部と対向する前記フェンス部の面との間に、フェンス部が引っ張り力の作用方向に移動可能な空間を設けたため、引っ張り力を確実に作用させることができる。また、フェンス部の前記連結手段との連結部の厚さは、フェンス部の他の部位よりも厚く構成したため、内枠を有しないフェンス部に対しても引っ張り力を確実に作用させることができる。また、フェンス部は、フェンス本体と、該フェンス本体を囲繞して前記フェンス本体と一体成形された内枠とを備えるため、前記内枠によって引っ張り力が均等に作用し、フェンス部の撓みをより確実に防止できる。また、外枠を、前記フェンス部の上下左右を囲む４つの外枠部材によって構成したので、フェンス自体の安定性、フェンス同士の接続の良好を向上させることができる。また、フェンス部及び外枠を所定の材料による一体成形品としたため組み立て作業の容易化が図れ、特に、フェンス部は発砲合成樹脂を用いるため全体として軽くして且つコストを削減でき、外枠は木紛入り合成樹脂を用いるため、フェンス部に対する引っ張り力を作用させるのに十分に耐えうる強度を実現することができる。また、連結手段はネジ止めとしたので、簡易な構成によってフェンス部に対して均等に引っ張り力を作用させることができ、フェンス部の撓みをより確実に防止できる。
【考案を実施するための最良の形態】
【０００９】
以下、本考案の実施の形態を図面と共に説明する。図１は本考案の実施の形態によるフェンスの分解斜視図である。
【００１０】
図1に示すように、本考案の実施の形態によるフェンス１は、フェンス部２と、フェンス２の外縁部（符号なし）に取り付けられる外枠６を備える。フェンス部２は、フェンス本体としての格子部３と内枠４とからなる。格子部３と内枠４は合成樹脂を一体成形してなるものが好適である。合成樹脂としては適宜採択可能であるが、例えば、軽く且つコストが安い発泡合成樹脂が好適である。また、フェンス部２の上下左右の外縁部に取り付けられる４つの外枠部材５を有し、このフェンス部２を囲繞する外枠６を構成する。外枠部材５には内枠４が嵌合して係止する係止溝５ａが設けられている。尚、内枠４、外枠部材５及びそれらの取り付け構造の詳細については図３により後述する。
【００１１】
内枠４及び外枠部材５は、連結手段としてのネジ７により連結（ネジ止め）され、本実施の形態では各外枠部材５に２個所ずつ設けられている。各外枠部材５は、その端部から係止具１１（他の３箇所の連結部にも配される）を相通された状態で互いに一体的にネジ８によって連結され、外枠６を構成している。なお、本実施の形態においては、係止具１１を介して各外枠部材５同士を連結する構成を示したが、係止具１１を介さないで外枠部材５同士を直接連結する手段により連結する構成であってもよいし、外枠部材５の一がフェンス部２と一体成形され、他の外枠部材５が別体となっている構成であってもよく、また、外枠６の総てが一体成形されていてもよく、特に限定されるものではない。外枠部材５の端面は図示のように４５度の斜面５ｂに形成されており、この斜面５ｂ同士を接触させてその重ね合わせた部分をネジ８によりネジ止めすることにより四角形の外枠６が構成される。
【００１２】
図２は、図１のＡ−Ａ線に沿う断面図であり、格子部３のクロス部３ａの構成を示している。図示のように格子部３は互いに直交して一体成形された格子部材３ｂ，３ｃからなり、クロス部３ａにおいては格子部材３ｂ，３ｃは互いにその厚さの半分以上が一体的に埋め込まれた構造となっている。
【００１３】
図３は、内枠４及び外枠部材５の詳細な構成と、外枠部材５を内枠４に取り付けるための構造を示す側面図である。
【００１４】
図３において、外枠部材５は内部が空洞の略角筒状に一体成形されたもので、一側に内枠４が嵌合する係止溝５ａ（図１参照）が設けられている。また、係止溝５ａの底部５ｃと内枠４の上記底部５ｃと対向する面４ａとの間に長さｌ３の空間９が形成されている。ネジ７は外枠部材５の外側からネジ込まれ、外枠部材５を貫通して破線で示すように内枠４にネジ込まれている。なお、外枠部材５の内壁には、補強用のリブ１０が設けられている。外枠部材５は、合成樹脂による一体成形品とするのが好適である。合成樹脂としては適宜採択可能であるが、外枠部材５は外枠６を構成してフェンス部２に対しネジ７を介して引っ張り力を作用させるものであることから、それに十分に耐え得る強度を実現するため、例えば、木の繊維によって強度向上が図れる木紛入り合成樹脂により一体成形するのが好適である。
【００１５】
また、本考案によるフェンス１をガーデニング等におけるラティスとして使用する場合には、フェンス部２（特に格子部３）を薄く構成することが好適であるが、その場合、フェンス部２（特に格子部３）の厚さは、連結手段（ネジ７）との接触部位の幅以上に設定されていればよい。即ち、図３に示すように、ネジ７は、外枠部材５を貫通してフェンス部２（特に内枠４）に対して前記破線で示すようにネジ込まれているが、フェンス部２（特に内枠４）にネジ込まれている部分のネジ７の幅（即ち直径）ｌ１と、格子部３の厚さｌ２とが同程度、又はネジ７の幅（即ち直径）ｌ１よりも格子部３の厚さｌ２の方が大となるように構成する。従って、このようにしてフェンス部２（特に格子部３）を薄く構成した場合であっても、前記のように外枠６から引っ張り力を作用させれば、撓みを防止でき、フェンス部２が破損し難い。
【００１６】
本実施の形態によるフェンス１は、上記のように構成されているので、内枠４の係止溝５ａへの嵌合による係止作用とネジ７によるネジ止めの作用により外枠６と内枠４とが互いに引っ張り合う状態で連結される。
【００１７】
図４は、外枠６と内枠４とが互いに引っ張り合う様子をイメージ的に示すもので、格子部３の格子は図示を省略している。
図４に示すように、フェンス部２に対しては、対向する二つのネジ７により矢印ｂ及び矢印ｃの方向に逆方向（上下方向）の引っ張り力が働くと共に、矢印ｄ及び矢印ｅの方向に逆方向（左右方向）の引っ張り力が働くことになる。このとき、長さｌ３の空間９が存在しているため、引っ張り力を確実に作用させることができる。即ち、連結手段としてのネジ７同士が互いに引っ張り合う方向にフェンス部２が空間９内で移動可能になる。
【００１８】
以上のように本実施の形態によれば、外枠６からフェンス部２を略均等に引っ張る状態で連結されるので、フェンス部２の撓みを確実に防止して両者を強固に連結することができ、フェンス１としての所定の剛性を得ることができる。フェンス部２は合成樹脂の一体成形品であり、特にガーデニング等で使用されるラティス等として使用される場合は全体的な厚さが薄く成形される傾向にあるが、本実施の形態によれば外枠６を設け、引っ張り力を作用させながら内枠４に強固に連結するので、フェンス部２の厚さが比較的薄い場合であっても十分な剛性を得ることができる。また、部品点数を少なくして組み立てを容易にすることができる。従って、本実施の形態によれば、合成樹脂の一体成形品でありながら十分な剛性を備えたフェンスを安価に提供することができる。
【００１９】
尚、本実施の形態では、フェンス部２のフェンス本体を格子部３とした場合であったが、フェンス本体としては、この外にブラインド状や板状であってもよい。また、格子部３の場合、図１のような斜めの格子でもよく、あるいは縦横の格子であってもよい。
【００２０】
また、本実施の形態では、フェンス部２をフェンス本体である格子部３と内枠４とで構成したが、場合によっては内枠４を省略してフェンス部２をフェンス本体のみで構成してもよい。その場合、フェンス部２（フェンス本体）の外枠６の連結部が薄くなり、ネジ止めがし難くなり、又はネジ止めによる破裂等が生じて破損の原因ともなるので、フェンス部２の連結部の厚さをこのフェンス部２の他の部分（例えば格子部３）の厚さより大きく設定して、ネジ止めを容易かつ確実にできるようにしてよい。フェンス部２を格子部３のみで構成する場合は、格子を構成する各格子部材の外枠６の連結面となる端面を有する端部の厚さを大きくすればよい。さらに、前記実施の形態においては、フェンス１の設置の安定性やフェンス１同士の接続の良好等の観点から、外枠６を４つの外枠部材５で構成し全体として略正方形のものを説明したが、フェンス部２の形状に応じて個数の外枠部材５で構成してよい。
【図面の簡単な説明】
【００２１】
【図１】本考案の実施の形態によるフェンスの分解斜視図である。
【図２】図２は図１のＡ−Ａ線断面図である。
【図３】内枠と外枠部材の詳細な構成、及び外枠部材を内枠に取り付けるための構造を示す側面図である。
【図４】外枠と内枠とが互いに引っ張り合う様子を示す構成図である。
【図５】従来の木製のフェンスを示す外観斜視図である。
【図６】図５の枠部材と格子部の連結構造を示す構成図である。
【符号の説明】
【００２２】
１  フェンス
２  フェンス部
３  格子部
４  内枠
５  外枠部材
６  外枠
７  ネジ
９  空間
【図１】
0003118947.tif 000003
【図２】
0003118947.tif 000004
【図３】
0003118947.tif 000005
【図４】
0003118947.tif 000006
【図５】
0003118947.tif 000007
【図６】
0003118947.tif 000008